(57)【特許請求の範囲】
【請求項１】
天然又は合成ポリアミド繊維材料を２色若しくは３色染色又は捺染するための方法であって、
式（１）：
【化１】
0003859784.tif 000074
（式中、
Ｒ1及びＲ2は、互いに独立して、水素又は置換若しくは非置換Ｃ1−Ｃ12アルキルであり、
Ｘ1は、ハロゲンであり、
Ｂ1は、有機架橋員であり、そして
Ｖ1は、式（２ａ）、（２ｂ）、（２ｃ）、（２ｄ）、（２ｅ）又は（２ｆ）：
【化２】
0003859784.tif 000075
（上記式中、
Ｗは、式：−ＳＯ2−ＮＲ3−、−ＣＯＮＲ3−又は−ＮＲ3ＣＯ−の基であり、
Ｒ3は、水素、非置換であるか、又はヒドキシル、スルホ、スルファト、カルボキシル若しくはシアノで置換されているＣ1−Ｃ4アルキル、又は式：−ａｌｋｙｌｅｎｅ（Ｒ）−ＳＯ2−Ｚの基であり、
Ｒは、水素、ヒドロキシル、スルホ、スルファト、カルボキシル、シアノ、ハロゲン、Ｃ1−Ｃ4アルコキシカルボニル、Ｃ1−Ｃ4アルカノイルオキシ、カルバモイル又は基：−ＳＯ2−Ｚであり、
Ｚは、基：−ＣＨ＝ＣＨ2又は−ＣＨ2−ＣＨ2−Ｙであり、Ｙは、脱離基であり、
Ｘは、基：−ＣＨ（Ｈａｌ）−ＣＨ2−Ｈａｌ又は−Ｃ（Ｈａｌ）＝ＣＨ2であり、Ｈａｌは、ハロゲンであり、
Ｅは、基：−Ｏ−又は−ＮＲ5−であり、Ｒ5は、水素又はＣ1−Ｃ4アルキルであり、
ａｌｋｙｌｅｎｅ及びａｌｋｙｌｅｎｅ′は、互いに独立して、Ｃ1−Ｃ6アルキレンであり、
ａｒｙｌｅｎｅは、非置換であるか、又はスルホ、カルボキシル、Ｃ1−Ｃ4アルキル、Ｃ1−Ｃ4アルコキシ若しくはハロゲンで置換されているフェニレン又はナフチレン基であり、
Ｒ4及びＲ4′は、互いに独立して、水素又は、非置換であるか、又はカルボキシル、シアノ、ヒドロキシル、スルホ若しくはスルファトで置換されているＣ1−Ｃ4アルキルであり、そして
ｔは、０又は１の数である）
で示される基である）
で示される青色−染色の繊維反応性アントラキノン染料の少なくとも１種を、
式（８）：
【化４】
0003859784.tif 000076
（式中、
Ｒ6は、水素、Ｃ1−Ｃ4アルキル、Ｃ1−Ｃ4アルコキシ、Ｃ2−Ｃ4アルカノイルアミノ、アミノ、Ｎ−モノ−若しくはＮ，Ｎ−ジ−Ｃ1−Ｃ4アルキルアミノ、ウレイド、ハロゲン、ヒドロキシル又はカルボキシルであり、
Ｒ7及びＲ8は、互いに独立して、水素、Ｃ1−Ｃ4アルキル、Ｃ1−Ｃ4アルコキシ、Ｃ2−Ｃ4アルカノイルアミノ、ウレイド、スルファモイル、ハロゲン、スルホ又はカルボキシルであり、そして
（Ｔ1)1-3は、１〜３個の同一又は異なる繊維反応性基である）、
式（９）：
【化５】
0003859784.tif 000077
（式中、
Ｒ9は、ヒドロキシル又はアミノであり、
Ｒ10は、メチル又はカルボキシルであり、
Ｒ11、Ｒ12、Ｒ13、Ｒ13′及びＲ14は、上記のＲ7及びＲ8と同義であり、
Ｒ13′は、更にβ−ヒドロキシエチルスルホニル又は式：−ＳＯ2Ｚの基（ここで、Ｚは、基：−ＣＨ＝ＣＨ2又は−ＣＨ2−ＣＨ2−Ｙであり、Ｙは、脱離基である）であることができ、そして
（Ｔ1)1-3は、１〜３個の同一又は異なる繊維反応性基である）
で示され、かつ少なくとも１個のスルホ基を含む染料、
式（１０）：
【化６】
0003859784.tif 000078
（式中、
Ｒ15、Ｒ16、Ｒ17及びＲ18は、上記のＲ7及びＲ8と同義であり、そして
（Ｔ1)1-3は、１〜３個の同一又は異なる繊維反応性基である）及び
式（１１）：
【化７】
0003859784.tif 000079
（式中、
Ｒ19は、スルホメチル、カルバモイル又はシアノであり、
Ｒ20は、Ｃ1−Ｃ4アルキルであり、
Ｒ21は、上記のＲ7及びＲ8と同義であり、そして
（Ｔ1)1-3は、１〜３個の同一又は異なる繊維反応性基である）
の繊維反応性スルホ基含有黄色−若しくは橙色−染色染料の少なくとも１種と一緒にか、或は
式（１９）：
【化６４】
0003859784.tif 000080
（式中、
Ｒ22は、アミノ又はＮ−モノ−若しくはＮ，Ｎ−ジ−Ｃ1−Ｃ4アルキルアミノであり、
Ｒ24は、上記のＲ7と同義であり、そして
Ｘ2は、フッ素又は特に塩素であり、
Ｒ4は、水素或は未置換の又はカルボキシル、シアノ、ヒドロキシル、スルホもしくはスルファトで置換されたＣ1−Ｃ4アルキルであり、そして
Ｖ2は、Ｖ1について先に定義した通りである）及び
式（１３）：
【化９】
0003859784.tif 000081
（式中、
Ｒ26は、水素、Ｃ1−Ｃ4アルキル、Ｃ1−Ｃ4アルコキシ、Ｃ2−Ｃ4アルカノイルアミノ、アミノ、Ｎ−モノ−若しくはＮ，Ｎ−ジ−Ｃ1−Ｃ4アルキルアミノ、ウレイド、ハロゲン、カルボキシル又は、非置換であるか、又はフェニル環が、Ｃ1−Ｃ4アルキル、Ｃ1−Ｃ4アルコキシ、Ｃ2−Ｃ4アルカノイルアミノ、ウレイド、ハロゲン、カルボキシル若しくはスルホにより更に置換されているフェニルカルボニルアミノであり、
Ｒ27及びＲ28は、上記のＲ7及びＲ8と同義であり、そして
（Ｔ1)1-3は、１〜３個の同一又は異なる繊維反応性基である）
の繊維反応性スルホ基含有赤色−染色染料の少なくとも１種と一緒に用いることを含む方法。
【請求項２】
式（１）の青色−染色の繊維反応性アントラキノン染料の少なくとも１種が、請求項１記載の式（８）、（９）、（１０）及び（１１）の繊維反応性スルホ基含有黄色−若しくは橙色−染色染料の少なくとも１種と一緒に及び請求項１記載の式（１９）及び（１３）の繊維反応性スルホ基含有赤色−染色染料の少なくとも１種と一緒に用いられる、天然又は合成ポリアミド繊維材料を３色染色又は捺染するための請求項１記載の方法。
【請求項３】
Ｒ1及びＲ2が、互いに独立して、水素或は、非置換であるか、又はヒドロキシル、スルホ若しくはスルファトにより置換されているＣ1−Ｃ4アルキルである、請求項１又は２記載の方法。
【請求項４】
Ｂ1が、中断されていないか又は−ＮＨ−、−Ｎ（ＣＨ3)−又は−Ｏ−よりなる群からの１、２又は３個の員により中断されており、かつ非置換であるか、又はヒドロキシル、スルホ、スルファト、シアノ若しくはカルボキシルで置換されているＣ2−Ｃ12アルキレン基、或は、非置換であるか、又はＣ1−Ｃ4アルキル、Ｃ1−Ｃ4アルコキシ、スルホ、ハロゲン若しくはカルボキシルで置換されているＣ5−Ｃ9シクロアルキレン基、Ｃ1−Ｃ4アルキレン−Ｃ5−Ｃ9シクロアルキレン基若しくはＣ1−Ｃ4アルキレン−Ｃ5−Ｃ9シクロアルキレン−Ｃ1−Ｃ4アルキレン基、或は、非置換であるか、又はＣ1−Ｃ4アルキル、Ｃ1−Ｃ4アルコキシ、Ｃ2−Ｃ4アルカノイルアミノ、スルホ、ハロゲン若しくはカルボキシルで置換されているフェニレン基、Ｃ1−Ｃ4アルキレン−フェニレン基若しくはＣ1−Ｃ4アルキレン−フェニレン−Ｃ1−Ｃ4アルキレン基である、請求項１〜３のいずれか１項記載の方法。
【請求項５】
Ｂ1が、中断されていないか又は１、２又は３個の員−Ｏ−により中断されて、かつ非置換であるか、又はヒドロキシル若しくはスルファトで置換されているＣ2−Ｃ6アルキレン基、或は、非置換であるか、又はＣ1−Ｃ4アルキルで置換されているシクロヘキシレン基又はメチレン−シクロヘキシレン基、或は、非置換であるか、又はＣ1−Ｃ4アルキル、Ｃ1−Ｃ4アルコキシ、ハロゲン若しくはスルホで置換されているフェニレン若しくはメチレン−フェニレン−メチレン基である、請求項１〜４のいずれか１項記載の方法。
【請求項６】
Ｗが、式：−ＣＯＮＨ−の基であり、
Ｒ、Ｒ3、Ｒ4及びＲ4′が、水素であり、
Ｙが、−Ｃｌ、−ＯＳＯ3Ｈ又は−ＯＣＯ−ＣＨ3であり、
Ｈａｌが、塩素又は臭素であり、
Ｅが、基：−Ｏ−であり、
ａｒｙｌｅｎｅが、非置換であるか、又はスルホ、カルボキシル、Ｃ1−Ｃ4アルキル、Ｃ1−Ｃ4アルコキシ若しくはハロゲンで置換されているフェニレン基であり、そして
ｔが、０の数である、請求項１記載の方法。
【請求項７】
Ｖ1が、式（２ｂ）又は（２ｄ）の基である、請求項１記載の方法。
【請求項８】
Ｘ1が、フッ素又は塩素、特に塩素である、請求項１〜７のいずれか１項記載の方法。
【請求項９】
用いられる式（１）の青色−染色の繊維反応性アントラキノン染料が、式（４）又は（５）：
【化３】
0003859784.tif 000082
（上記式中、
Ｘ1は、フッ素又は塩素であり、
Ｘは、基：−ＣＨ（Ｈａｌ）−ＣＨ2−Ｈａｌ又は−Ｃ（Ｈａｌ）＝ＣＨ2であり、Ｈａｌは、臭素又は塩素であり、そして
Ｚは、基：−ＣＨ＝ＣＨ2又は−ＣＨ2ＣＨ2−Ｙであり、Ｙは、−Ｃｌ、−ＯＳＯ3Ｈ又は−ＯＣＯ−ＣＨ3である）
で示されるアントラキノン染料である、請求項１〜８のいずれか１項記載の方法。
【請求項１０】
Ｔ1が、式（６ａ）、（６ｂ）又は（７ａ）：
【化１０】
0003859784.tif 000083
（上記式中、
Ｚは、基：−ＣＨ＝ＣＨ2又は−ＣＨ2−ＣＨ2−Ｙであり、
Ｙは、脱離基であり、
Ｘは、基：−ＣＨ（Ｈａｌ）−ＣＨ2−Ｈａｌ又は−Ｃ（Ｈａｌ）＝ＣＨ2であり、Ｈａｌは、ハロゲンであり、
Ｘ2は、フッ素、又は特に塩素であり、
Ｒ4は、水素又は、非置換であるか、又はカルボキシル、シアノ、ヒドロキシル、スルホ若しくはスルファトで置換されているＣ1−Ｃ4アルキルであり、そして
Ｖ2は、式（２ａ）、（２ｂ）、（２ｃ）、（２ｄ）、（２ｅ）又は（２ｆ）：
【化１１】
0003859784.tif 000084
（上記式中、
Ｗは、式：−ＳＯ2−ＮＲ3−、−ＣＯＮＲ3−又は−ＮＲ3ＣＯ−の基であり、
Ｒ3は、水素、非置換であるか、又はヒドロキシル、スルホ、スルファト、カルボキシル若しくはシアノで置換されているＣ1−Ｃ4アルキル、又は式：−ａｌｋｙｌｅｎｅ（Ｒ）−ＳＯ2−Ｚの基であり、
Ｒは、水素、ヒドロキシル、スルホ、スルファト、カルボキシル、シアノ、ハロゲン、Ｃ1−Ｃ4アルコキシカルボニル、Ｃ1−Ｃ4アルカノイルオキシ、カルバモイル又は基：−ＳＯ2−Ｚであり、
Ｅは、基：−Ｏ−又は−ＮＲ5−であり、Ｒ5は、水素又はＣ1−Ｃ4アルキルであり、
ａｌｋｙｌｅｎｅ及びａｌｋｙｌｅｎｅ′は、互いに独立して、Ｃ1−Ｃ6アルキレンであり、
ａｒｙｌｅｎｅは、非置換であるか、又はスルホ、カルボキシル、Ｃ1−Ｃ4アルキル、Ｃ1−Ｃ4アルコキシ若しくはハロゲンで置換されているフェニレン又はナフチレン基であり、
Ｒ4′は、上記のＲ4と同義であり、
Ｚ及びＸは、上記と同義であり、そして
ｔは、０又は１の数である）
で示される基である）
で示される基である、請求項１記載の方法。
【請求項１１】
用いられる繊維反応性スルホ基含有黄色−若しくは橙色−染色染料が、式（１４）：
【化１２】
0003859784.tif 000085
（式中、
Ｒ7は、水素、Ｃ1−Ｃ4アルキル、Ｃ1−Ｃ4アルコキシ、Ｃ2−Ｃ4アルカノイルアミノ、ウレイド、スルファモイル、ハロゲン、スルホ又はカルボキシルであり、そして
Ｒ4、Ｘ2及びＶ2は、請求項１０と同義である）
で示される染料、及び
式（１６）：
【化１３】
0003859784.tif 000086
（式中、
Ｒ9は、ヒドロキシル又はアミノであり、
Ｒ10は、メチル又はカルボキシルであり、
Ｒ12、Ｒ13、Ｒ13′及びＲ14は、上記のＲ7と同義であり、そして
Ｒ4、Ｘ2及びＶ2は、請求項１０と同義である）
で示される染料の少なくとも１種であり、
そして用いられる繊維反応性スルホ基含有赤色−染色染料が、式（１９）：
【化１４】
0003859784.tif 000087
（式中、
Ｒ22は、アミノ又はＮ−モノ−若しくはＮ，Ｎ−ジ−Ｃ1−Ｃ4アルキルアミノであり、
Ｒ24は、上記のＲ7と同義であり、そして
Ｒ4、Ｘ2及びＶ2は、請求項１と同義である）
で示される染料の少なくとも１種である、請求項１０記載の方法。
【請求項１２】
Ｒ4が、水素又はＣ1−Ｃ4アルキルであり、そして
Ｖ2が、式（３ａ）、（３ｂ）、（３ｃ）、（３ｄ）又は（３ｅ）：
【化１５】
0003859784.tif 000088
（上記式中、
Ｘは、基：−ＣＨ（Ｈａｌ）−ＣＨ2−Ｈａｌ又は−Ｃ（Ｈａｌ）＝ＣＨ2であり、Ｈａｌは、臭素又は塩素であり、そして
Ｚは、基：−ＣＨ＝ＣＨ2又は−ＣＨ2−ＣＨ2−Ｙであり、Ｙは、−Ｃｌ、−ＯＳＯ3Ｈ又は−ＯＣＯ−ＣＨ3である）
で示される基である、請求項１０記載の方法。
【請求項１３】
式（２５）：
【化１７】
0003859784.tif 000089
（式中、
Ｘ1は、フッ素又は塩素であり、そして
Ｚは、基：−ＣＨ＝ＣＨ2又は−ＣＨ2−ＣＨ2−Ｙであり、Ｙは、−Ｃｌ、−ＯＳＯ3Ｈ又は−ＯＣＯ−ＣＨ3である）
及び式（２６）：
【化１８】
0003859784.tif 000090
（式中、
Ｘ1は、塩素であり、そして
Ｚは、基：−ＣＨ＝ＣＨ2又は−ＣＨ2−ＣＨ2−Ｙであり、Ｙは、−Ｃｌ、−ＯＳＯ3Ｈ又は−ＯＣＯ−ＣＨ3である）
で示される繊維反応性アントラキノン染料。
【発明の詳細な説明】
【０００１】
【発明の属する技術分野】
本発明は、２色若しくは３色染色又は捺染のための方法に関する。
【０００２】
【従来の技術及び発明が解決しようとする課題】
本発明の目的は、天然又は合成ポリアミド繊維材料を２色原理に従い、かつ特に３色原理従い組み合わせるに適当である染料により染色する方法を見い出すことにある。
【０００３】
この目的は、本発明に従い以下に記載された方法により達成することができることが、今見い出された。したがって、このようにして得られた染色物は、記載された目的を達成している。特に、得られた染色物は、均一な色付着性と同時に種々の濃度での色調の一定性及びその良好な組み合わせ特性で特徴づけられ、良好な均一性を有し、２色性を有していない。
【０００４】
【課題を解決するための手段】
本発明は、天然又は合成ポリアミド繊維材料を２色若しくは３色染色又は捺染するための方法であって、
式（１）：
【０００５】
【化１９】
0003859784.tif 000002
【０００６】
（式中、
Ｒ1及びＲ2は、互いに独立して、水素又は置換若しくは非置換Ｃ1−Ｃ12アルキルであり、
Ｘ1は、ハロゲンであり、
Ｂ1は、有機架橋員であり、そして
Ｖ1は、繊維反応性基含有の、脂肪族又は芳香族アミンである）で示される青色−染色の繊維反応性アントラキノン染料の少なくとも１種を、繊維反応性スルホ基含有黄色−若しくは橙色−染色染料の少なくとも１種と一緒にか、又は繊維反応性スルホ基含有赤色−染色染料の少なくとも１種と一緒に用いる方法に関する。
【０００７】
好適な方法は、天然又は合成ポリアミド繊維材料を２色若しくは３色染色又は捺染するための相当する方法であって、式（１）の青色−染色の繊維反応性アントラキノン染料の少なくとも１つが、繊維反応性スルホ基含有黄色−若しくは橙色−染色染料の少なくとも１つと一緒にか、又は繊維反応性スルホ基含有赤色−染色染料の少なくとも１つと一緒に用いられる方法である。
【０００８】
Ｃ1 −Ｃ12アルキル基：Ｒ1 及びＲ2 は、好適にはＣ1 −Ｃ8 アルキル基、特にＣ1 −Ｃ4 アルキル基、例えばメチル、エチル、プロピル、イソプロピル、sec −ブチル、tert−ブチル又はイソブチルである。言及しているこのアルキル基は、非置換であるか、又は例えばヒドロキシル、スルホ若しくはスルファトで置換されていることができる。非置換の基が好ましい。
【０００９】
好適には、Ｒ1及びＲ2は、互いに独立して、水素又はＣ1−Ｃ4アルキル（これは、非置換であるか、又はヒドロキシル、スルホ若しくはスルファトにより置換されている）であり、特に水素又はＣ1−Ｃ4アルキル、好適には水素である。
【００１０】
Ｘ1 は、好適にはフルオロ、又は特にクロロである。
【００１１】
有機架橋員Ｂ1は、例えばＣ2−Ｃ12アルキレン基（これは、−ＮＨ−、−Ｎ（ＣＨ3)−又は−Ｏ−よりなる群からの１、２又は３個の員により中断されていてもよく、かつ非置換であるか、又はヒドロキシル、スルホ、スルファト、シアノ若しくはカルボキシルで置換されている）、又はＣ5−Ｃ9シクロアルキレン基、Ｃ1−Ｃ4アルキレン−Ｃ5−Ｃ9シクロアルキレン基若しくはＣ1−Ｃ4アルキレン−Ｃ5−Ｃ9シクロアルキレン−Ｃ1−Ｃ4アルキレン基（これらは、非置換であるか、又はＣ1−Ｃ4アルキル、Ｃ1−Ｃ4アルコキシ、スルホ、ハロゲン若しくはカルボキシルで置換されている）、又はフェニレン基、Ｃ1−Ｃ4アルキレン−フェニレン基若しくはＣ1−Ｃ4アルキレン−フェニレン−Ｃ1−Ｃ4アルキレン基（これらは、非置換であるか、又はＣ1−Ｃ4アルキル、Ｃ1−Ｃ4アルコキシ、Ｃ2−Ｃ4アルカノイルアミノ、スルホ、ハロゲン若しくはカルボキシルで置換されている）である。更に、式：−Ｎ（Ｒ1)−Ｂ1−Ｎ（Ｒ2)−の基は、下記式：
【００１２】
【化２０】
0003859784.tif 000003
【００１３】
の基であることができる。
【００１４】
アルキレン基：Ｂ1は、好適にはＣ2−Ｃ6アルキレン基（これは、１、２又は３個の員：−Ｏ−により中断されていてもよく、かつ非置換であるか、又はヒドロキシル若しくはスルファトで置換されている）である。非置換の基、特に下記式：
【００１５】
【化２１】
0003859784.tif 000004
【００１６】
の基が、好ましい。式：−（ＣＨ2)3 −及び−ＣＨ2 −Ｃ（ＣＨ3)2 −ＣＨ2 −の基は、特に興味がある。
【００１７】
好適なシクロアルキレン−含有基Ｂ1 は、相当するシクロヘキシレン含有基（これは、特に非置換であるか、又はＣ1 −Ｃ4 アルキルで置換されている）である。シクロヘキシレン基又はメチレン−シクロヘキシレン基（これらは、非置換であるか、又はＣ1 −Ｃ4 アルキルで置換されている）、特にメチレン−シクロヘキシレン基（これは、非置換であるか、又はＣ1 −Ｃ4 アルキルで置換されている）が、特にここで好ましい。
【００１８】
好適なフェニレン−含有基Ｂ1 は、相当する基（これは、特に非置換であるか、又はＣ1 −Ｃ4 アルキル、Ｃ1 −Ｃ4 アルコキシ、ハロゲン若しくはスルホで置換されている）である。フェニレン又はメチレン−フェニレン−メチレン基（これらは、非置換であるか、又はＣ1 −Ｃ4 アルキル、Ｃ1 −Ｃ4 アルコキシ、ハロゲン若しくはスルホで置換されている）が、特に好ましい。特に好適な基は、下記式：
【００１９】
【化２２】
0003859784.tif 000005
【００２０】
のそれらである。
【００２１】
Ｂ1は、好適にはＣ2−Ｃ6アルキレン基（これは、１、２又は３個の員：−Ｏ−により中断されていてもよく、かつ非置換であるか、又はヒドロキシル若しくはスルファトで置換されている）、又はシクロヘキセン基若しくはメチレン−シクロヘキシレン基（これは、非置換であるか、又はＣ1−Ｃ4アルキルで置換されている）、又はフェニレン若しくはメチレン−フェニレン−メチレン基（これは、非置換であるか、又はＣ1−Ｃ4アルキル、Ｃ1−Ｃ4アルコキシ、ハロゲン若しくはスルホで置換されている）である。
【００２２】
Ｂ1は、特に好適にはＣ2−Ｃ6アルキレン基、メチレン−シクロヘキシレン基（これは、非置換であるか、又はＣ1−Ｃ4アルキルで置換されている）、又はフェニレン若しくはメチレン−フェニレン−メチレン基（これは、非置換であるか、又はＣ1−Ｃ4アルキル、Ｃ1−Ｃ4アルコキシ、ハロゲン若しくはスルホで置換されている）である。
【００２３】
Ｂ1 は、特別に好適には、下記式：
【００２４】
【化２３】
0003859784.tif 000006
【００２５】
のいずれかである。
【００２６】
Ｖ1 は、好適には式（２ａ）〜（２ｆ）：
【００２７】
【化２４】
0003859784.tif 000007
【００２８】
（上記式中、
Ｗは、式：−ＳＯ2 −ＮＲ3 −、−ＣＯＮＲ3 −又は−ＮＲ3 ＣＯ−の基であり、
Ｒ3 は、水素、Ｃ1 −Ｃ4 アルキル（これは、非置換であるか、又はヒドキシル、スルホ、スルファト、カルボキシル若しくはシアノで置換されている）、又は基：−ａｌｋｙｌｅｎｅ（Ｒ）−ＳＯ2 −Ｚであり、
Ｒは、水素、ヒドロキシル、スルホ、スルファト、カルボキシル、シアノ、ハロゲン、Ｃ1 −Ｃ4 アルコキシカルボニル、Ｃ1 −Ｃ4 アルカノイルオキシ、カルバモイル又は基：−ＳＯ2 −Ｚであり、
Ｚは、基：−ＣＨ＝ＣＨ2 又は−ＣＨ2 ＣＨ2 −Ｙであり、Ｙは、脱離基であり、
Ｘは、基：−ＣＨ（Ｈａｌ）−ＣＨ2 −Ｈａｌ又は−Ｃ（Ｈａｌ）＝ＣＨ2 であり、Ｈａｌは、ハロゲンであり、
Ｅは、基：−Ｏ−又は−ＮＲ5 −であり、Ｒ5 は、水素又はＣ1 −Ｃ4 アルキルであり、
ａｌｋｙｌｅｎｅ及びａｌｋｙｌｅｎｅ′は、互いに独立して、Ｃ1 −Ｃ6 アルキレンであり、
ａｒｙｌｅｎｅは、フェニレン又はナフチレン基（これらは、非置換であるか、又はスルホ、カルボキシル、Ｃ1 −Ｃ4 アルキル、Ｃ1 −Ｃ4 アルコキシ若しくはハロゲンで置換されている）であり、
Ｒ4 及びＲ4 ′は、互いに独立して、水素又はＣ1 −Ｃ4 アルキル（これは、非置換であるか、又はカルボキシル、シアノ、ヒドロキシル、スルホ若しくはスルファトで置換されている）であり、そして
ｔは、０又は１の数である）で示されるいずれかの基である。
【００２９】
ａｌｋｙｌｅｎｅ及びａｌｋｙｌｅｎｅ′は、互いに独立して、例えばメチレン、エチレン、１，３−プロピレン、１，４−ブチレン、１，５−ペンチレン若しくは１，６−ヘキシレン基又はそれらの分岐異性体である。
【００３０】
好適には、ａｌｋｙｌｅｎｅ及びａｌｋｙｌｅｎｅ′は、Ｃ1 −Ｃ4 アルキレン基、好適には式：−（ＣＨ2)2-3 −、特に好適にはエチレン基である。
【００３１】
Ｒは、好適には水素又は基：−ＳＯ2 −Ｚ−（ここで、Ｚは、上記と同義であり、好適なものも同義である）。Ｒは、特に好適には水素である。
【００３２】
Ｒ3 は、好適には水素、Ｃ1 −Ｃ4 アルキル、又は基：ａｌｋｙｌｅｎｅ−ＳＯ2 −Ｚ−（ここで、ａｌｋｙｌｅｎｅ及びＺは、それぞれ、上記と同義である）。Ｒ3 は、特に好適には水素又Ｃ1 −Ｃ4 アルキル、特に水素である。
【００３３】
Ｒ4 及びＲ4 ′は、好適には水素又Ｃ1 −Ｃ4 アルキル、特に好適には水素である。
【００３４】
Ｒ5 は、好適には水素である。
【００３５】
ａｒｙｌｅｎｅは、好適にはフェニレン基（これは、非置換であるか、又は例えばスルホ、Ｃ1 −Ｃ4 アルキル、Ｃ1 −Ｃ4 アルコキシ若しくはハロゲン、特にスルホで置換されている）である。ａｒｙｌｅｎｅは、好適には１，３−又は１，４−フェニレン基（これらは、非置換であるか、又はスルホ、メチル若しくはメトキシ、特にスルホで置換されている）である。
【００３６】
Ｅは、好適には−ＮＨ−、特に好適には−Ｏ−である。
【００３７】
Ｗは、好適には式：−ＮＨＣＯ−又は特に−ＣＯＮＨ−の基である。
【００３８】
Ｈａｌは、好適にはクロロ又は特にブロモである。
【００３９】
脱離基：Ｙは、例えば−Ｃｌ、−Ｂｒ、−Ｆ、−ＯＳＯ3 Ｈ、−ＳＳＯ3 Ｈ、−ＯＣＯ−ＣＨ3 、−ＯＰＯ3 Ｈ2 、−ＯＣＯＣ6 Ｈ5 、−ＯＳＯ2 −Ｃ1 −Ｃ4 アルキル又は−ＯＳＯ2 −Ｎ（Ｃ1 −Ｃ4 アルキル)2である。Ｙは、好適には式：−Ｃｌ、−ＯＳＯ3 Ｈ、−ＳＳＯ3 Ｈ、−ＯＣＯ−ＣＨ3 、−ＯＣＯＣ6 Ｈ5 又は−ＯＰＯ3 Ｈ2 、特に−Ｃｌ、−ＯＳＯ3 Ｈ又は−ＳＳＯ3 Ｈ、特に好適には−Ｃｌ又は−ＯＳＯ3 Ｈである。Ｙは、特に好適には式：−ＯＳＯ3 Ｈの基である。
【００４０】
ｔは、好適には０の数である。
【００４１】
好適な基：Ｖ1 は、
Ｗが、式：−ＣＯＮＨ−の基であり、
Ｒ、Ｒ3 、Ｒ4 及びＲ4 ′が、水素であり、
Ｙが、−Ｃｌ、−ＯＳＯ3 Ｈ、−ＯＣＯ−ＣＨ3 、特に−Ｃｌ又は−ＯＳＯ3 Ｈであり、
Ｈａｌが、クロロ又は特にブロモであり、
Ｅが、基：−Ｏ−であり、
ａｒｙｌｅｎｅが、フェニレン基（これは、非置換であるか、又は例えばスルホ、カルボキシ、Ｃ1 −Ｃ4 アルキル、Ｃ1 −Ｃ4 アルコキシ若しくはハロゲン、好適にはスルホで置換されている）であり、そして
ｔが、０の数であるそれらである。
【００４２】
式（２ａ）の基：Ｖ1 として、式（３ａ）：
【００４３】
【化２５】
0003859784.tif 000008
【００４４】
で示される基、式（２ｂ）の基：Ｖ1 として、式（３ｂ）：
【００４５】
【化２６】
0003859784.tif 000009
【００４６】
で示される基、式（２ｃ）の基：Ｖ1 として、式（３ｃ）：
【００４７】
【化２７】
0003859784.tif 000010
【００４８】
で示される基、式（２ｄ）の基：Ｖ1 として、式（３ｄ）：
【００４９】
【化２８】
0003859784.tif 000011
【００５０】
で示される基、式（２ｅ）の基：及びＶ1 として、式（３ｅ）：
【００５１】
【化２９】
0003859784.tif 000012
【００５２】
で示される基（ここで、基：Ｘ及びＺは、上記と同義であり、好適なものも同義である）であるそれらが好ましい。
【００５３】
Ｖ1 は、好適には式（２ａ）〜（２ｅ）の基、特に式（３ａ）〜（３ｅ）の基である。
【００５４】
Ｖ1 は、特に好適には式（２ａ）、（２ｂ）、（２ｄ）又は（２ｅ）の基、特に式（３ａ）、（３ｂ）、（３ｄ）又は（３ｅ）の基である。
【００５５】
特に重要な基Ｖ1 は、式（２ａ）及び（２ｄ）の基、特に式（３ｂ）及び（３ｄ）の基である。
【００５６】
特別に重要な基Ｖ1 は、式（２ｄ）の基、特に式（３ｄ）の基であるそれらである。
【００５７】
用いられる式（１）の青色−染色の繊維反応性アントラキノン染料は、好適には式（４）又は（５）：
【００５８】
【化３０】
0003859784.tif 000013
【００５９】
（上記式中、
Ｘ1 、Ｘ及びＺは、上記と同義であり、好適なものも同義である）で示されるアントラキノン染料である。好適には、Ｘ1 は、フルオロ又は特にクロロであり、Ｘは、基：−ＣＨ（Ｈａｌ）−ＣＨ2 −Ｈａｌ又は−Ｃ（Ｈａｌ）＝ＣＨ2 であり、Ｈａｌは、クロロ又は特にブロモであり、そしてＺは、基：−ＣＨ＝ＣＨ2 又は−ＣＨ2 ＣＨ2 −Ｙであり、Ｙは、−ＯＣＯ−ＣＨ3 又は特に−Ｃｌ、−ＯＳＯ3 Ｈである。式（４）のアントラキノン染料が、ここで特に好適である。
【００６０】
用いられる繊維反応性スルホ基含有黄色−若しくは橙色−染色染料は、特にモノ−又はジアゾ染料である。これらの染料は、好適には１〜３個のスルホ基、特に１又は２個のスルホ基を含む。
【００６１】
好適な染料は、下記式：
Ｄ1 −Ｎ＝Ｎ−（Ｍ−Ｎ＝Ｎ)uＫ
で示されるモノ−又はジアゾ染料である。
この式において、
Ｄ1 は、ベンゼン又はナフタレン系列のジアゾ成分の基であり、
Ｍは、ベンゼン又はナフタレン系列の中間成分の基であり、
Ｋは、ベンゼン、ナフタレン、ピラゾール又は６−ヒドロキシピリジン−２−オン系列のカップリング成分の基であり、そして
ｕは、０又は１の数であり、
Ｄ1 、Ｍ及びＫは、繊維反応性基に加えて、アゾ染料の通常の置換基を有することができる。ｕは、好適には０の数である。
【００６２】
そのような置換基の例は、繊維反応性基に加えて：炭素原子１〜４個を有するアルキル基、例えばメチル、エチル、プロピル、イソプロピル又はブチル；炭素原子１〜４個を有するアルコキシ基、例えばメトキシ、エトキシ、プロポキシ  、イソプロポキシ又はブトキシ；炭素原子２〜４個を有するアルキルアミノ、特にアセチルアミノ又はプロピオニルアミノ；アミノ；Ｎ−モノ−若しくはＮ，Ｎ−ジ−Ｃ1 −Ｃ4 アルキルアミノ；トリフルオロメチル；ニトロ；シアノ；ハロゲン、例えばフルオロ、ブロモ又は特にクロロ；カルバモイル；ウレイド；ヒドロキシル；カルボキシル；スルホメチル；スルホ；スルファモイル；それぞれの場合に炭素原子１〜４個を有する、Ｎ−モノ−若しくはＮ，Ｎ−ジアルキルスルファモイル；及びフェニル、フェニルスルホニル、ベンゾイルアミノ又はフェニルカルボニルアミノ（これらは、非置換であるか、又はフェニル環が、Ｃ1 −Ｃ4 アルキル、Ｃ1 −Ｃ4 アルコキシ、Ｃ2 −Ｃ4 アルカノイルアミノ、ウレイド、ハロゲン、カルボキシル若しくはウレイドで置換されている）である。
【００６３】
スルホ基含有の繊維反応性黄色−若しくは橙色−染色染料及びスルホ基含有の繊維反応性赤色−染色染料の繊維反応性基は、例えば式（６ａ）、（６ｂ）、（７ａ）及び（７ｂ）：
【００６４】
【化３１】
0003859784.tif 000014
【００６５】
（上記式中、
Ｒ4 及びＺは、上記と同義であり、好適なものも同義であり、
Ｖ2 は、Ｖ1 と同義であり、好適なものも同義であり、
Ｘ2 は、フルオロ又は特にクロロであり、そして
Ｖ3 は、非−反応性基である）で示される基である。
【００６６】
Ｖ2 は、好適には式（２ｂ）、（２ｃ）、（２ｄ）又は（２ｅ）の基、特に式（２ｃ）、（２ｄ）又は（２ｅ）の基であり、特に式（２ｃ）又は（２ｄ）の基である。Ｖ2 は、特に好適には式（２ｄ）の基である。
【００６７】
Ｖ3 は、例えばヒドロキシル、Ｃ1 −Ｃ4 アルコキシ、Ｃ1 −Ｃ4 アルキルチオ、アミノ、Ｎ−Ｃ1 −Ｃ4 アルキルアミノ若しくはＮ，Ｎ−ジ−Ｃ1 −Ｃ4 アルキルアミノ（ここで、アルキルは、非置換であるか、又は例えばスルホ、スルファト、ヒドロキシル、カルボキシル若しくはフェニルで置換されている）、シクロヘキシルアミノ−、モルホリノ−若しくはＮ−Ｃ1 −Ｃ4 アルキル−Ｎ−フェニルアミノ又はフェニルアミノ又はナフチルアミノ基（ここで、フェニル若しくはナフチルは、非置換であるか、又は例えばＣ1 −Ｃ4 アルキル、Ｃ1 −Ｃ4 アルコキシ、カルボキシル、スルホ若しくはハロゲンで置換されている）である。
【００６８】
Ｖ3 は、好適にはアミノ、Ｎ−Ｃ1 −Ｃ4 アルキルアミノ（ここで、アルキル部分は、非置換であるか、又はヒドロキシル、スルファト若しくはスルホで置換されている）、モルホリノ、フェニルアミノ又はＮ−Ｃ1 −Ｃ4 アルキル−Ｎ−フェニルアミノ（ここで、フェニルは、それぞれの場合に、非置換であるか、又はスルホ、カルボキシル、メチル若しくはメトキシで置換されている）である。特に好適な定義は、フェニルアミノ又は特にＮ−Ｃ1 −Ｃ4 アルキル−Ｎ−フェニルアミノ（ここで、フェニルは、それぞれの場合に、非置換であるか、又はスルホ、カルボキシル、メチル若しくはメトキシで置換されている）である。
【００６９】
特に好適な繊維反応性基は、式（６ａ）、（６ｂ）及び（７ａ）、特に式（６ｂ）及び（７ａ）、好適には式（７ａ）のそれらである。言及している繊維反応性基は、上記に定義されているものであり、かつ好適なものも上記に定義されている。
【００７０】
本発明の方法に用いられる繊維反応性スルホ基含有黄色−若しくは橙色−染色染料は、好適には、式（８）：
【００７１】
【化３２】
0003859784.tif 000015
【００７２】
（式中、
Ｒ6 は、水素、Ｃ1 −Ｃ4 アルキル、Ｃ1 −Ｃ4 アルコキシ、Ｃ2 −Ｃ4 アルカノイルアミノ、アミノ、Ｎ−モノ−若しくはＮ，Ｎ−ジ−Ｃ1 −Ｃ4 アルキルアミノ、ウレイド、ハロゲン、ヒドロキシル又はカルボキシルであり、
Ｒ7 及びＲ8 は、互いに独立して、水素、Ｃ1 −Ｃ4 アルキル、Ｃ1 −Ｃ4 アルコキシ、Ｃ2 −Ｃ4 アルカノイルアミノ、ウレイド、スルファモイル、ハロゲン、スルホ又はカルボキシルであり、そして
（Ｔ1)1-3 は、１〜３個の同一又は異なる繊維反応性基である）で示される染料、及び式（９）：
【００７３】
【化３３】
0003859784.tif 000016
【００７４】
（式中、
Ｒ9 は、ヒドロキシル又はアミノであり、
Ｒ10は、メチル又はカルボキシルであり、
Ｒ11、Ｒ12、Ｒ13、Ｒ13′及びＲ14は、上記のＲ7 及びＲ8 と同義であり、
Ｒ13′は、更にβ−ヒドロキシエチルスルホニル又は式：−ＳＯ2 Ｚの基（ここで、Ｚは、基：−ＣＨ＝ＣＨ2 又は−ＣＨ2 −ＣＨ2 −Ｙであり、Ｙは、脱離基である）であることができ、そして
（Ｔ1)1-3 は、１〜３個の同一又は異なる繊維反応性基である）で示され、かつ少なくとも１つのスルホ基を含む染料、及び式（１０）：
【００７５】
【化３４】
0003859784.tif 000017
【００７６】
（式中、
Ｒ15、Ｒ16、Ｒ17及びＲ18は、上記のＲ7 及びＲ8 と同義であり、そして
（Ｔ1)1-3 は、１〜３個の同一又は異なる繊維反応性基である）で示される染料、及び式（１１）：
【００７７】
【化３５】
0003859784.tif 000018
【００７８】
（式中、
Ｒ19は、スルホメチル、カルバモイル又はシアノであり、
Ｒ20は、Ｃ1 −Ｃ4 アルキルであり、
Ｒ21は、上記のＲ7 及びＲ8 と同義であり、そして
（Ｔ1)1-3 は、１〜３個の同一又は異なる繊維反応性基である）で示される染料の少なくとも１つである。
【００７９】
本発明の方法で用いられる繊維反応性スルホ基含有赤色−染色染料は、好適には、式（１２）：
【００８０】
【化３６】
0003859784.tif 000019
【００８１】
（式中、
Ｒ22は、水素、アミノ又はＮ−モノ−若しくはＮ，Ｎ−ジ−Ｃ1 −Ｃ4 アルキルアミノであり、
Ｒ23は、水素又はヒドロキシルであり、
Ｒ24及びＲ25は、互いに独立して、上記のＲ7 及びＲ8 と同義であるか、又はフェニルスルホニル（これは、非置換であるか、又はＣ1 −Ｃ4 アルキル、Ｃ1 −Ｃ4 アルコキシ、Ｃ2 −Ｃ4 アルカノイルアミノ、ウレイド、ハロゲン、カルボキシル若しくはスルホにより置換されている）であり、そして
（Ｔ1)1-3 は、１〜３個の同一又は異なる繊維反応性基である）で示される染料、及び式（１３）：
【００８２】
【化３７】
0003859784.tif 000020
【００８３】
（式中、
Ｒ26は、水素、Ｃ1 −Ｃ4 アルキル、Ｃ1 −Ｃ4 アルコキシ、Ｃ2 −Ｃ4 アルカノイルアミノ、アミノ、Ｎ−モノ−若しくはＮ，Ｎ−ジ−Ｃ1 −Ｃ4 アルキルアミノ、ウレイド、ハロゲン、カルボキシル又はフェニルカルボニルアミノ（これは、非置換であるか、又はフェニル環が、Ｃ1 −Ｃ4 アルキル、Ｃ1 −Ｃ4 アルコキシ、Ｃ2 −Ｃ4 アルカノイルアミノ、ウレイド、ハロゲン、カルボキシル若しくはスルホにより置換されている）であり、
Ｒ27及びＲ28は、上記のＲ7 及びＲ8 と同義であり、そして
（Ｔ1)1-3 は、１〜３個の同一又は異なる繊維反応性基である）で示される染料の少なくとも１つである。
【００８４】
Ｔ1 は、好適には上記に定義され、かつ好適なものも上記と同義である、式（６ａ）、（６ｂ）、（７ａ）又は（７ｂ）の繊維反応性基である。式（８）〜（１３）の染料は、好適にはそれぞれ、１個又は２個のＴ1 基、特にただ１個のＴ1 基を含む。
【００８５】
式（８）の染料は、特にナフチル基に１個のみ又は２個、好適には２個のスルホ基を含むそれらである。Ｒ6 は、好適には水素、Ｃ1 −Ｃ4 アルキル、Ｃ1 −Ｃ4 アルコキシ又はハロゲン、特に水素である。Ｒ7 は、好適には水素、Ｃ1 −Ｃ4 アルキル、Ｃ1 −Ｃ4 アルコキシ、Ｃ2 −Ｃ4 アルカノイルアミノ、ウレイド、ハロゲン又はスルホ、特に水素、Ｃ1 −Ｃ4 アルキル、Ｃ1 −Ｃ4 アルコキシ又はハロゲンである。Ｒ8 は、好適には水素である。式（８）の染料は、全部で２個のみのスルホ基を含む。
【００８６】
式（８）の特に好適な染料は、式（１４）：
【００８７】
【化３８】
0003859784.tif 000021
【００８８】
（式中、
Ｒ7 、Ｒ4 、Ｘ2 及びＶ2 は、上記と同義であり、かつ好適なものも同義である）で示されるそれらである。
【００８９】
特に好適な式（８）の染料は、式（１５ａ）及び（１５ｂ）：
【００９０】
【化３９】
0003859784.tif 000022
【００９１】
（上記式中、
Ｒ7 、Ｒ4 、Ｘ2 及びＶ2 は、上記と同義であり、かつ好適なものも同義である）で示されるそれらである。
【００９２】
興味がある式（８）の染料は、更に、式（１５ｃ）：
【００９３】
【化４０】
0003859784.tif 000023
【００９４】
（式中、
Ｒ7 、Ｒ4 、Ｘ2 及びＶ2 は、上記と同義であり、かつ好適なものも同義である）で示されるそれらである。好適には、式（１５）の染料は、ナフチル環に１個のみのスルホ基を含む。
【００９５】
式（９）の染料は、特にＲ10がメチルであるそれらである。Ｒ11は、好適にはスルホである。Ｒ13′は、好適には水素、ハロゲン又はスルホ、特に水素である。好適には、式（９）の染料は、全部で１個のみ又は２個のスルホ基を含む。
【００９６】
式（９）の特に好適な染料は、式（１６）：
【００９７】
【化４１】
0003859784.tif 000024
【００９８】
（式中、
Ｒ4 、Ｒ9 、Ｒ10、Ｒ12、Ｒ13、Ｒ13′、Ｒ14、Ｘ2 及びＶ2 は、上記と同義であり、かつ好適なものも同義である）で示されるそれらである。好適には、Ｒ13′は、水素、Ｃ1 −Ｃ4 アルキル、Ｃ1 −Ｃ4 アルコキシ、Ｃ2 −Ｃ4 アルカノイルアミノ、ウレイド、スルファモイル、ハロゲン、スルホ又はカルボキルであある。Ｒ12、Ｒ13、Ｒ13′及びＲ14は、特に水素、ハロゲン又はスルホ、特に水素である。
【００９９】
式（９）の特に好適な染料は、式（１７）：
【０１００】
【化４２】
0003859784.tif 000025
【０１０１】
（式中、
Ｒ4 、Ｒ9 、Ｒ13、Ｒ13′、Ｒ14、Ｘ2 及びＶ2 は、上記と同義であり、かつ好適なものも同義である）で示されるそれらである。
【０１０２】
式（９）の興味のある染料は、式（１８）：
【０１０３】
【化４３】
0003859784.tif 000026
【０１０４】
（式中、
Ｘは、上記と同義であり、かつ好適なものも同義である）で示されるそれらである。
【０１０５】
式（１０）の染料は、特にＲ15、Ｒ16、Ｒ17及びＲ18が、互いに独立して、水素、Ｃ1 −Ｃ4 アルキル、Ｃ1 −Ｃ4 アルコキシ、Ｃ2 −Ｃ4 アルカノイルアミノ、ハロゲン又はウレイドであるそれらである。Ｒ15、Ｒ16及びＲ17は、好適には水素である。Ｒ18は、好適にはＣ2 −Ｃ4 アルカノイルアミノである。好適には、式（１０）の染料は、全部で１個のみ又は２個のスルホ基を含む。
【０１０６】
式（１１）の染料は、特にＲ19がカルバモイルであるそれらである。Ｒ20は、好適にはエチルである。好適には、式（１１）の染料は、全部で１個のみ又は２個のスルホ基を含む。
【０１０７】
式（１２）の染料は、特にＲ22が、アミノ又はＮ−モノ−若しくはＮ，Ｎ−ジ−Ｃ1 −Ｃ4 アルキルアミノであるそれらである。Ｒ23は、好適にはヒドロキシルである。Ｒ24及びＲ25は、好適には上記のＲ7 と同義である。Ｒ24及びＲ25は、特に好適には水素又はスルホである。好適には、式（１２）の染料は、全部で１個のみ又は２個のスルホ基を含む。
【０１０８】
式（１２）の興味のある染料は、Ｒ22が、アミノであり、Ｒ23及びＲ24が、水素であり、そしＲ25が、フェニルスルホニル（これは、非置換であるか、又はＣ1 −Ｃ4 アルキル、Ｃ1 −Ｃ4 アルコキシ、ハロゲン若しくはスルホで置換されている）であるそれらである。この場合、この染料は、１個のみのＴ1 基（これは、式（６）の基である）を含み、２個のスルホ基を含む。
【０１０９】
式（１２）の特に好適な染料は、式（１９）：
【０１１０】
【化４４】
0003859784.tif 000027
【０１１１】
（式中、
Ｒ4 、Ｒ22、Ｒ24、Ｘ2 及びＶ2 、は、上記と同義であり、かつ好適なものも同義である）で示されるそれらである。Ｒ22は、好適にはアミノ、又はＮ−モノ−若しくはＮ，Ｎ−ジ−Ｃ1 −Ｃ4 アルキルアミノである。
【０１１２】
式（１２）の特に好適な染料は、式（２０ａ）及び（２０ｂ）：
【０１１３】
【化４５】
0003859784.tif 000028
【０１１４】
（上記式中、
Ｒ24は、水素又はスルホであり、そして
Ｒ4 、Ｘ2 及びＶ2 は、上記と同義であり、かつ好適なものも同義である）で示されるそれらである。式（２０ｂ）の染料において、Ｒ24は、好適には水素である。式（２０ａ）の染料は、ここで特に興味がある。
【０１１５】
式（１２）の興味のある染料は、式（２１）：
【０１１６】
【化４６】
0003859784.tif 000029
【０１１７】
（式中、
Ｘは、上記と同義であり、かつ好適なものも同義である）で示されるそれらである。
【０１１８】
式（１３）の染料は、特にＲ26が、水素、Ｃ2 −Ｃ4 アルカノイルアミノ、アミノ、Ｎ−モノ−若しくはＮ，Ｎ−ジ−Ｃ1 −Ｃ4 アルキルアミノ、ウレイド、ハロゲン、又はフェニルカルボニル（これは、非置換であるか、又はフェニル環が、Ｃ1 −Ｃ4 アルキル、Ｃ1 −Ｃ4 アルコキシ、Ｃ2 −Ｃ4 アルカノイルアミノ、ハロゲン、若しくはスルホで置換されている）である。Ｒ27は、好適には水素であり、そしてＲ28は、水素又はスルホである。
【０１１９】
式（１２）及び（１３）の赤色−染色染料の少なくとも１つと一緒に式（８）〜（１１）の黄色−又は橙色−染色染料の少なくとも１つが、本発明の方法において好適に用いられる。特に好適には、式（８）及び（９）の染料の少なくとも１つが、式（１２）の染料の少なくとも１つと一緒に用いられる。式（８）〜（１３）の染料は、上記に定義され、かつ好適なものも定義されている。
【０１２０】
特に好適には、式（１４）及び（１６）、特に式（１５ａ）、（１５ｂ）及び（１７）の黄色−又は橙色−染色染料の少なくとも１つが、式（１９）、特に式（２０ａ）及び（２０ｂ）の赤色−染色染料の少なくとも１つと一緒に用いられる。
【０１２１】
興味ある実施態様に従い、式（１８）の黄色−又は橙色−染色染料の少なくとも１つが、式（１９）、特に式（２１）の赤色−染色染料の少なくとも１つと一緒に用いられる。
【０１２２】
黄色−又は橙色−及び赤色−染色染料と共に用いられるべき式（１）のアントラキノン染料は、上記に定義され、かつ好適なものも定義されており、式（５）、特に式（４）のアントラキノンが特に重要である。
【０１２３】
２色若しくは３色染色又は捺染のための、本発明の方法で用いられるアントラキノン染料は、知られており、既知染料と類似に製造することができ、例えば式（２２）及び（２３）：
【０１２４】
【化４７】
0003859784.tif 000030
【０１２５】
（上記式中、
Ｒ1 、Ｒ2 、Ｂ1 及びＶ1 は、上記と同義である）で示される化合物と、シアヌル酸ハライドと反応させることにより製造することができる。
【０１２６】
それぞれの上述の工程は、異なる順序で、適切ならば同時に行うこともできるので、種々の変法が可能である。一般的に、この反応は、順次に行われ、それぞれの反応要素の間の単反応の順序は、好都合には特定の条件に従い行われる。したがって、例えば式（２２）の化合物は、シアヌル酸ハライドと反応させ、得られた生成物は式（２３）の化合物との縮合反応に付される。更に、式（２３）の化合物は、シアヌル酸ハライドと反応させることができ、次いで得られた生成物を式（２２）の化合物との縮合反応に付すことができる。
【０１２７】
それぞれの縮合反応は、例えばそれ自体公知の方法、一般的に水性溶液、例えば０〜５０℃、特に０〜１０℃の温度で、例えば３〜１０、特に３〜８のｐＨで行われる。
【０１２８】
更に、合成した後、変換反応を行うことができる。例えば、スルファトエチルスルホニル基又はα，β−ジハロプロピオニルアミノ基を含む式（１）のアントラキノンは、塩基、例えば水酸化ナトリウムで処理することができ、スルファトエチルスルホニル基は、ビニルスルホニル基へ変換され、α，β−ジハロプロピオニルアミノ基は、α−ハロアクリロイルアミノ基へ変換される。
【０１２９】
式（８）〜（１３）の染料は、既知であり、既知染料と類似に製造することができる。したがって、式（８）〜（１３）の染料は、例えば以下アミンのジアゾ化、次いで以下のカップリング成分とのカップリングにより製造することができる。
【０１３０】
【化４８】
0003859784.tif 000031
【０１３１】
式（８）〜（１３）のそれぞれの染料のために上述のアミン及びカップリング成分は、共に更に１〜３個のＴ1 基を含む。
【０１３２】
このアミンのジアゾ化は、一般的に、低温、例えば０〜１５℃、かつ鉱酸中の亜硝酸の作用で行われ、特定のカップリング成分へのカップリングは、酸又は中性〜弱アルカリのｐＨの値、特にｐＨ２〜８で行われる。
【０１３３】
更に、Ｔ1 が上記式（７ａ）又は（７ｂ）である、式（８）〜（１３）の染料は、アミノ基を有する染料とシアヌル酸ハライド及び式：Ｈ−Ｖ2 又はＨ−Ｖ3 の化合物との縮合により得ることができる。ここで、それぞれの縮合反応は、アントラキノン染料の製造に対して記載された条件下で行うことができる。
【０１３４】
更に、本発明は、式（２４）：
【０１３５】
【化４９】
0003859784.tif 000032
【０１３６】
（式中、
Ｘ1 は、フルオロ又はクロロであり、
Ｘは、基：−ＣＨ（Ｈａｌ）−ＣＨ2 −Ｈａｌ又は−Ｃ（Ｈａｌ）＝ＣＨ2 であり、そして
Ｈａｌは、ブロモ又はクロロである）で示され、全体で２個のスルホ基を含む染料、及び式（２５）：
【０１３７】
【化５０】
0003859784.tif 000033
【０１３８】
（式中、
Ｘ1 は、フルオロ又はクロロであり、そして
Ｚは、基：−ＣＨ＝ＣＨ2 又は−ＣＨ2 −ＣＨ2 −Ｙであり、Ｙは、−Ｃｌ、−ＯＳＯ3 Ｈ又は−ＯＣＯ−ＣＨ3)で示される染料、及び式（２６）：
【０１３９】
【化５１】
0003859784.tif 000034
【０１４０】
（式中、
Ｘ1 は、フルオロ又はクロロであり、そして
Ｚは、基：−ＣＨ＝ＣＨ2 又は−ＣＨ2 −ＣＨ2 −Ｙであり、Ｙは、−Ｃｌ、−ＯＳＯ3 Ｈ又は−ＯＣＯ−ＣＨ3 である）で示される染料である、繊維反応性アントラキノン染料に関する。
【０１４１】
Ｘ1 は、好適にはクロロである。
【０１４２】
Ｈａｌは、好適にはブロモである。
【０１４３】
基：Ｙは、好適には−Ｃｌ又は特に−ＯＳＯ3 Ｈである。
【０１４４】
好適な染料は、式（２６）又は特に（２４）のそれらである。
【０１４５】
更に、本発明は、式（２４）〜（２６）の染料を製造するための方法に関する。
【０１４６】
式（２４）の染料を製造する方法は、下記式：
【０１４７】
【化５２】
0003859784.tif 000035
【０１４８】
の２種の化合物を、シアヌル酸フルオリド又はシアヌル酸クロリドと反応させることを含む。
【０１４９】
式（２５）の染料を製造する方法は、下記式：
【０１５０】
【化５３】
0003859784.tif 000036
【０１５１】
の２種の化合物を、シアヌル酸フルオリド又はシアヌル酸クロリドと反応させることを含む。
【０１５２】
式（２６）の染料を製造する方法は、下記式：
【０１５３】
【化５４】
0003859784.tif 000037
【０１５４】
の２種の化合物を、シアヌル酸フルオリド又はシアヌル酸クロリドと反応させることを含む。
【０１５５】
この特定の反応は、式（１）のアントラキノン染料の製造のために上記した条件下で行うことができる。
【０１５６】
２色若しくは３色染色又は捺染のための本発明の方法に用いられる染料及び本発明の式（２４）〜（２６）のアントラキノン染料は、遊離の酸の形態、又は特にその塩の形態のいずれかで存在することができる。
【０１５７】
塩は、例えばアルカリ金属、アルカリ土類金属若しくはアンモニウム塩、又は有機アミンの塩である。その例は、ナトリウム、リチウム、カリウム若しくはアンモニウム塩、又はモノ−、ジ−若しくはトリエタノールアミンの塩である。
【０１５８】
本発明の方法に用いられる染料及び式（２４）〜（２６）のアントラキノン染料は、更なる添加剤、例えば塩化ナトリウム又はデキストリンを含むことができる。
【０１５９】
２色若しくは３色染色又は捺染のための本発明の方法に用いられる染料及び本発明の式（２４）〜（２６）のアントラキノン染料は、慣用の染色及び捺染方法で用いることができる。水及び染料に加えて、染料溶液又は捺染糊料は、更なる添加剤、例えば湿潤剤、消泡剤、均染剤又は繊維材料の特性に影響を与える薬剤、例えば柔軟化剤、防炎剤又は防汚−、防水−及び防−油剤、並びに軟水化剤及び天然又は合成増粘剤、例えばアルギン酸塩及びセルロースエーテルを含むことができる。
【０１６０】
染料浴又は捺染糊料中で用いられるそれぞれの染料の量は、色調の深さにより広い範囲で変えることができ、染色又は捺染する製品に基づいて、一般に０．０１〜１５重量％、特に０．１〜１０重量％が、好都合である。
【０１６１】
特に浸染法により行われる染色が、好ましい。
【０１６２】
染色は、好適にはｐＨ３〜７、特に４〜６で行われる。液比は、例えば１：５〜１：５０、好適には１：５〜１：３０の広い範囲で選択することができる。染色は、好適には７０〜１１０℃、特に８０〜１０５℃で行われる。
【０１６３】
湿潤堅牢性を増大させ、かつ非−固着染料を除くために、後処理を、例えば８〜９のｐＨ、例えば７５〜８５℃の温度で行うことができる。
【０１６４】
本発明の方法で用いられる染料及び式（２４）〜（２６）のアントラキノン染料は、２色若しくは３色染色又は捺染において、均一な色付着性及び固着特性、また種々の濃度での色調の一定性、良好な堅牢特性並びに特に非常に良好な組み合わせ特性により特徴づけられるべきである。
【０１６５】
２色若しくは３色染色又は捺染のための本発明の方法及び本発明による式（２４）〜（２６）のアントラキノン染料は、天然ポリアミド繊維材料、例えば羊毛及び合成ポリアミド繊維材料、例えばポリアミド６又はポリアミド６６の両方を染色又は捺染するのに適切であり、羊毛と合成ポリアミド配合繊維及び紡糸を染色又は捺染するのに適切である。天然ポリアミド繊維、特に羊毛、好適には耐洗濯機性を有する羊毛の、染色又は捺染が、好適である。
【０１６６】
上述の繊維材料は、ここで加工の広い範囲の形態、例えば繊維、紡糸、織生地、編み生地、及び特に絨緞の形態であることができる。
【０１６７】
全般的な堅牢性、特に摩擦、湿潤加工、湿潤摩擦及び光りに対する堅牢性を有する均染物が得られる。
【０１６８】
以下の実施例において、部は重量部である。温度は、摂氏度である。重量による部は、立方センチメーターに対するグラムのように、容量による部に同様に関連している。
【０１６９】
【実施例】
実施例１：
式（１０１）：
【０１７０】
【化５５】
0003859784.tif 000038
【０１７１】
の黄色−染色染料０．５７部、式（１０２）：
【０１７２】
【化５６】
0003859784.tif 000039
【０１７３】
の赤色−染色染料０．５３部、及び式（１０３）：
【０１７４】
【化５７】
0003859784.tif 000040
【０１７５】
の青色−染色染料０．６５部を水２００部に溶解し、硫酸ナトリウム０．５部、均染助剤（高級脂肪族アミンとエチレンオキシドの縮合生成物に基づく）０．１部及び酢酸ナトリウム０．５部を加えた。酢酸（８０％）によりｐＨを５．５とした。この染浴を１０分間５０℃に加熱し、次いで羊毛織物１０部を導入した。この浴を約５０分かけて１００℃の温度に加熱し、染色をこの温度で６０分間行った。その後、この浴が９０℃に冷却するにまかせ、次いで染色物を取り出した。この羊毛織物を熱及び冷水で洗浄し、回転し、乾燥した。良好な光及び湿潤堅牢特性並びに良好な均染性を有する褐色染色物を得た。
【０１７６】
実施例２〜９７：
式（１０１）の黄色−染色染料０．５７部、式（１０２）の赤色−染色染料０．５３部及び式（１０３）の青色−染色染料０．６５部に代えて、表１の欄２に示された染料を記載した量で用い、実施例１の方法を繰り返して、同様に褐色染色物を得た。
【０１７７】
【表１】
0003859784.tif 000041
【０１７８】
【表２】
0003859784.tif 000042
【０１７９】
【表３】
0003859784.tif 000043
【０１８０】
【表４】
0003859784.tif 000044
【０１８１】
【表５】
0003859784.tif 000045
【０１８２】
【表６】
0003859784.tif 000046
【０１８３】
【表７】
0003859784.tif 000047
【０１８４】
【表８】
0003859784.tif 000048
【０１８５】
【表９】
0003859784.tif 000049
【０１８６】
【表１０】
0003859784.tif 000050
【０１８７】
【表１１】
0003859784.tif 000051
【０１８８】
【表１２】
0003859784.tif 000052
【０１８９】
【表１３】
0003859784.tif 000053
【０１９０】
【表１４】
0003859784.tif 000054
【０１９１】
【表１５】
0003859784.tif 000055
【０１９２】
【表１６】
0003859784.tif 000056
【０１９３】
【表１７】
0003859784.tif 000057
【０１９４】
【表１８】
0003859784.tif 000058
【０１９５】
【表１９】
0003859784.tif 000059
【０１９６】
【表２０】
0003859784.tif 000060
【０１９７】
【表２１】
0003859784.tif 000061
【０１９８】
【表２２】
0003859784.tif 000062
【０１９９】
実施例１〜９７に記載した３種の染料の組み合わせに代えて、特定の実施例に記載した２種のみの染料の組み合わせを用いることもできる。
【０２００】
実施例９８〜１００：
式（１０１）の黄色−染色染料０．５７部、式（１０２）の赤色−染色染料０．５３部及び式（１０３）の青色−染色染料０．６５部に代えて、表２の欄２に示された染料を記載した量で用い、実施例１の方法を繰り返して、同様に緑色染色物を得た。
【０２０１】
【表２３】
0003859784.tif 000063
【０２０２】
実施例１０１：
式（１０１）の黄色−染色染料０．１０７部、式（１０２）の赤色−染色染料０．１１部及び式（１０３）の青色−染色染料０．１３３部を、水２００部に溶解し、均染助剤（高級脂肪族アミンとエチレンオキシドの縮合生成物に基づく）０．１部及び酢酸ナトリウム０．２部を加えた。酢酸（５％）でｐＨを５とした。この染浴を３０℃に加熱し、次いで羊毛トリコット（これは、耐洗濯機性処理（塩素／ヘリコセット（Hercosett)法）されている）１０部を導入した。この浴を約３０分かけて６０℃の温度に加熱し、この温度で１５分間保持し、次いで４０分かけて沸点まで更に加熱した。沸点で７５分間染色した後、こ染色液を８０℃までに冷却した。この羊毛トリコットを熱水で暫時濯いだ。
【０２０３】
適切ならば、湿潤堅牢性を増大させるために、水２００部と炭酸水素ナトリウム０．４部を含む新しい液で後処理が行われる。この液（pH約８．５）を、染色製品と共に８５℃まで急速に加熱し、この製品をこの温度で１５分処理した。次いで、染色製品を熱及び冷水で濯ぎ、酸性とするために最後の濯ぎにギ酸（８５％）０．１部を加えた。通常の方法で染色物を仕上げた。
【０２０４】
製造実施例１：
（ａ）シアヌル酸クロリド４．７部を、氷４７部、水２３部及びＮａ2 ＨＰＯ4 ・１２Ｈ2 Ｏの０．０２５部中に０〜２℃、かつ１０〜１５分かけて懸濁した。水１５０部及び２N 水酸化ナトリウム水溶液１８．１部中の式（１４７）：
【０２０５】
【化５８】
0003859784.tif 000064
【０２０６】
の化合物１３部の溶液を、０〜２℃の温度で４５分かけて計量導入し、２N 水酸化ナトリウム水溶液の添加によりｐＨを５の値に維持した。続いて、この混合物を０〜２℃の温度で４０分攪拌した。式（１４８）：
【０２０７】
【化５９】
0003859784.tif 000065
【０２０８】
の、遊離の酸の形態で示されている化合物を含む溶液を得た。
【０２０９】
（ｂ）式（１４９）：
【０２１０】
【化６０】
0003859784.tif 000066
【０２１１】
の化合物８．５部を水４０部及びアセトン１００部に溶解した。このようにして得た溶液を、０〜２℃の温度に冷却した（ａ）により得た溶液に４５分かけて滴下により加えた。添加の間、２N 水酸化ナトリウム水溶液の添加によりｐＨを６の値に維持した。続いて、この混合物を０〜２℃の温度、かつpH６で一夜攪拌した。塩化ナトリウムを加えた後、この混合物を氷浴で１時間攪拌し、染料をを濾別し、塩化ナトリウム水溶液で洗浄し、４０℃で乾燥した。式（１５０）：
【０２１２】
【化６１】
0003859784.tif 000067
【０２１３】
の、遊離の酸の形態で示される化合物を得た。式（１５０）の染料は、羊毛及び合成ポリアミド繊維材料を青色の色調に染色した。
【０２１４】
製造実施例２〜８：
実施例１の指示と類似の方法で、表３の欄２の遊離の酸の形態で示されている染料を得ることができた。適切ならば、第２の縮合反応は、室温で行われた。表３に示した染料は、羊毛及び合成ポリアミド繊維材料を青色の色調に染色した。
【０２１５】
【表２４】
0003859784.tif 000068
【０２１６】
【表２５】
0003859784.tif 000069
【０２１７】
製造実施例９：
実施例１により得た染料１１．２５部を室温、かつpH３．０５で水１５０部に溶解した。次いで、この溶液を６０℃の温度に加熱し、１N 水酸化ナトリウム水溶液を添加してｐＨを７．５の値に維持し、アクリル化をこの反応条件下で全５時間で行った。次いで、混合物を室温まで冷却し、塩化ナトリウムの添加後、更に２時間攪拌し、得られた染料を濾別し、１０％塩化ナトリウム水溶液で濯ぎ、４０℃の温度で乾燥した。式（１５１）：
【０２１８】
【化６２】
0003859784.tif 000070
【０２１９】
の、遊離の酸の形態の化合物を得た。式（１５１）の染料は、羊毛及び合成ポリアミド繊維材料を青色の色調に染色した。
【０２２０】
製造実施例１０〜１５：
実施例９の指示と類似の方法で、表４の欄２の遊離の酸の形態で示されている、羊毛及び合成ポリアミド繊維材料を青色の色調に染色することができる染料を得ることができた。この染料が、式：−ＮＨ−ＣＯ−ＣＢｒ＝ＣＨ2 を含まないならば、ビニル化は、ｐＨ８〜９で行われた。
【０２２１】
【表２６】
0003859784.tif 000071
【０２２２】
【表２７】
0003859784.tif 000072
【０２２３】
上記に得た染料の吸収極大値を表５に示した。
【０２２４】
【表２８】
0003859784.tif 000073